(57)【特許請求の範囲】
【請求項１】
収容凹部を有し、該収容凹部内に液晶ディスプレイを収容する筐体と、
前記筐体の前記収容凹部内に配置され、前記液晶ディスプレイを支持する支持フレームと、
を備え、
前記筐体の収容凹部には、
前記支持フレームの外周部に近接又は接触する支持部と、
前記液晶ディスプレイの外周部と接触しないように、前記支持部と前記支持フレームとの当接部位から所定距離外方にオフセットしたオフセット部と、が、
前記収容凹部の底面からこの順で形成され、
前記支持部は、前記収容凹部の内壁面の前記底面側の領域にそれぞれ突出して形成された複数の凸部であることを特徴とする液晶ディスプレイの支持構造。
【請求項２】
前記液晶ディスプレイは前記支持フレームの上表面で支持され、
前記支持部と前記オフセット部は段状に形成されており、
前記収容凹部の底面からの前記支持フレーム表面の高さは、同底面からの支持部の高さより高いことを特徴とする請求項１に記載の液晶ディスプレイの支持構造。
【請求項３】
前記支持部が前記支持フレームの外周部に当接することで、前記液晶ディスプレイが前記支持フレームを介して前記筐体に支持されていることを特徴とする請求項１又は２に記載の液晶ディスプレイの支持構造。
【請求項４】
前記液晶ディスプレイの外周面と前記オフセット部の内壁面との間には、緩衝材が介設されていることを特徴とする請求項１乃至３のいずれか１項に記載の液晶ディスプレイの支持構造。
【請求項５】
液晶ディスプレイと、請求項１乃至４のいずれか１項に記載の液晶ディスプレイの支持構造と、を備えたことを特徴とする電子機器。
【発明の詳細な説明】
【技術分野】
【０００１】
本発明は、液晶ディスプレイの支持構造及び電子機器に関する。
【背景技術】
【０００２】
携帯電話機などの電子機器の筐体には、矩形板状の液晶ディスプレイユニットが設けられている。この液晶ディスプレイユニットは、液晶分子が封入され、駆動電圧の印加によって文字、画像等を表示する表示部である液晶ディスプレイを有する。液晶ディスプレイユニットは、さらに液晶ディスプレイに光を照射するバックライト部と、バックライト部を取り囲むとともに液晶ディスプレイをその周縁部で支持する矩形枠状のバックライトフレームとを有する。バックライトフレームは、電子機器が落下などの大きな衝撃を受けた場合、破損し易い液晶ディスプレイ及びバックライト部をその衝撃から保護する機能を有する。
【０００３】
近年、携帯電話機などの電子機器の小型化及び液晶ディスプレイの大型化に伴い、液晶ディスプレイが配置される筐体が大きくなる問題が生じている。この筐体の壁部の厚さを薄くすれば筐体を小さくすることができる。しかしこの場合には、筐体の強度が不足してしまい、バックライトフレームによる、液晶ディスプレイ及びバックライト部の衝撃からの保護が不十分となる場合があった。また、繊維強化樹脂など、強度の大きな材料を用いて筐体を形成すればその壁部の厚さを薄くしても当該筐体の強度が確保される。しかしこの場合には、筐体自体、ひいては電子機器のコストが上昇してしまう問題が生じる。
【０００４】
このような液晶ディスプレイ及びバックライト部の保護構造として、図１０に示すように、平面視矩形枠体状であり、枠体を構成する各辺の断面がＬ字状とされたバックライトフレーム１上に液晶ディスプレイ２の周縁部を載置するとともに、液晶ディスプレイ２の外周面を当該バックライトフレーム１の枠体の外周リブで包囲した技術が知られている（例えば、特許文献１を参照）。
【先行技術文献】
【特許文献】
【０００５】
【特許文献１】特開２００９−１９２７６９号公報
【発明の概要】
【発明が解決しようとする課題】
【０００６】
この技術によれば、筐体の壁部の厚さが薄い割にはその強度が確保され、しかも、液晶ディスプレイの外周面がバックライトフレームの枠体で包囲されているため、液晶ディスプレイを衝撃から効果的に保護することができる。しかしその反面、バックライトフレームが液晶ディスプレイの外周面を包囲することから、バックライトフレームは、必然的に液晶ディスプレイの外周よりも大きくなってしまう。このため、バックライトフレームを収納するための筐体の収容凹部が大きくなり、筐体のサイズが大型化する。そして、筐体の強度をさらに高めるためにその壁部の厚さを従来と同等とすると、筐体のサイズがさらに大型化するという問題が生じていた。
【０００７】
本発明は、このような問題点に着目してなされたもので、液晶ディスプレイを大型化するとともに、液晶ディスプレイが配置される筐体の強度を確保すべくその壁部を従来と同種の材料及び同等の厚さで形成しても、当該筐体のサイズを大型化することなく、液晶ディスプレイを落下などの衝撃から効果的に保護することができる液晶ディスプレイの支持構造及び該支持構造を有する電子機器を提供することを目的とする。
【課題を解決するための手段】
【０００８】
上記目的を達成するために、本発明の第１の観点に係る液晶ディスプレイの支持構造は、
収容凹部を有し、該収容凹部内に液晶ディスプレイを収容する筐体と、
前記筐体の前記収容凹部内に配置され、前記液晶ディスプレイを支持する支持フレームと、
を備え、
前記筐体の収容凹部には、
前記支持フレームの外周部に近接又は接触する支持部と、
前記液晶ディスプレイの外周部と接触しないように、前記支持部と前記支持フレームとの当接部位から所定距離外方にオフセットしたオフセット部と、が、
前記収容凹部の底面からこの順で形成され、
前記支持部は、前記収容凹部の内壁面の前記底面側の領域にそれぞれ突出して形成された複数の凸部である、
ことを特徴とする。
【０００９】
また、本発明の第２の観点に係る電子機器は、
液晶ディスプレイと、本発明の第１の観点に係る液晶ディスプレイの支持構造と、を備えたことを特徴とする。
【発明の効果】
【００１０】
本発明によれば、液晶ディスプレイを大型化するとともに、液晶ディスプレイが配置される筐体の強度を確保すべくその壁部を従来と同種の材料及び同等の厚さで形成しても、当該筐体のサイズを大型化することなく、液晶ディスプレイを落下などの衝撃から効果的に保護することができる液晶ディスプレイの支持構造及び該支持構造を有する電子機器を提供することができる。
【図面の簡単な説明】
【００１１】
【図１】本発明の第１実施形態に係る携帯電話機を示す斜視図である。
【図２】本発明の第１実施形態に係る携帯電話機の筐体を示す分解斜視図である。
【図３】図２のIII−III線断面図（Ａで示す領域内は筐体の一部拡大図）である。
【図４】本発明の第１実施形態に係る携帯電話機の液晶ディスプレイユニット（Ｂで示す領域内は筐体の一部拡大図）と、筐体（Ｃで示す領域内は筐体の一部拡大図）を示す分解斜視図である。
【図５】図２のＶ−Ｖ線断面図である。
【図６】本発明の第１実施形態に係る携帯電話機が落下など衝撃を受けたときに、液晶ディスプレイの外周部が収容凹部の内壁面に接触しないことを示す図３のＡで示す領域に対応する作用図である。
【図７】本発明の第２実施形態に係る携帯電話機の筐体を示す斜視図（Ｄで示す領域は筐体の一部拡大図）である。
【図８】図７のVIII−VIII線断面図である。
【図９】本発明の第３実施形態に係る携帯電話機の筐体において、液晶ディスプレイの外周面とオフセット部の内壁面との間に、緩衝材が介設されている状態を示す断面拡大図である。
【図１０】従来の液晶ディスプレイの保護構造を示す断面図である。
【発明を実施するための形態】
【００１２】
以下に本発明の実施形態を説明する。各種の携帯電話機、電子カメラ、ＰＤＡ（Personal Digital Assistant）、ノートパソコンなどの表示部として液晶ディスプレイを有する電子機器において本発明を適用することができる。すなわち、以下に記載する実施形態は説明のためのものであり、本発明の範囲を制限するものではない。したがって、当業者であればこれらの各要素又は全要素をこれと均等なものに置換した実施形態を採用することが可能であるが、これらの実施形態も本発明の範囲に含まれる。
【００１３】
（第１実施形態）
図１に示すように、本発明の第１実施形態に係る携帯電話機は、液晶ディスプレイを保護するスクリーン１５の下方に矩形板状の液晶ディスプレイユニット２０が配置される第１筐体１０と、液晶ディスプレイを制御するための制御回路や駆動用の電池などが配置される第２筐体１１とを備えている。第１筐体１０は、第２筐体１１に対して軸Ｑを回転中心として折り畳み可能とされている。尚、以下の説明において、スクリーン１５は省略する。
図２に示すように、第１筐体１０は、有底矩形枠状の筐体５０を有しており、筐体５０の中央部には、上方（Ｚ方向）に開口する矩形板状の収容凹部５１が設けられている。そして、収容凹部５１内には、液晶ディスプレイユニット２０が収納されている。
【００１４】
また、液晶ディスプレイユニット２０は、矩形枠状とされたバックライトフレーム４５を有しており（図３参照）、バックライトフレーム４５の外周部の所定位置には６つ（複数）の係合凸部４７が設けられている。筐体５０の収容凹部５１の内周壁には各係合凸部４７と対応する所定位置に６つ（複数）の係合凹部５７が設けられている。そして、液晶ディスプレイユニット２０は、係合凸部４７が係合凹部５７に係合した状態で筐体５０の収容凹部５１に収容固定される。
【００１５】
図３に示すように、液晶ディスプレイユニット２０は、矩形平板状の液晶ディスプレイ３０と、該液晶ディスプレイ３０にその背面から光を照射するバックライト部４０と、バックライト部４０を取り囲むとともに液晶ディスプレイ３０をその周縁部で支持するバックライトフレーム４５と、から構成されている。
【００１６】
液晶ディスプレイ３０は、それぞれ矩形平板状とされた上下一対のガラス基板（図示せず）と、当該一対のガラス基板で挟み込まれた液晶層と、を有しており、上記制御回路から印加された駆動電圧に応じて、文字、数字、記号、画像等を表示する。
【００１７】
バックライト部４０は、光学シート４１、導光板４２、反射板４３、ＬＥＤ（Light Emitting Diode）（図示せず）を備えている。導光板４２は、光源であるＬＥＤからの出射光を光入射端面から内部に取り込み、その取り込んだ光を、発光部にて反射と透過を繰り返しながら面状発光とし、液晶ディスプレイ３０側に出射する。そして、光学シート４１は、導光板４２から照射される光を液晶ディスプレイ３０側に集光する。なお、反射板４３は、矩形状の光反射部材であり、筐体５０の収容凹部５１の底部に配置され、導光板４２から反射板４３側へ漏れる光を反射し、導光板４２側に戻す機能を有する。
【００１８】
図３に示すように、バックライトフレーム４５の四辺を構成する枠状部は断面矩形状とされている。図３のＡで示す領域内に示すように、枠状部の各辺は、それぞれ、表面４５ａ、内側面４５ｂ、裏面４５ｃ、外側面４５ｄを有する。バックライトフレーム４５は、例えば、ポリカーボネート樹脂やアクリル樹脂などの、剛性及び弾性を兼ね備えた樹脂で形成されている。
【００１９】
図３に示すように、バックライトフレーム４５は、その内壁面４５ｂでバックライト部４０を包囲することで、バックライト部４０の導光板４２等を落下などの衝撃から保護するものである。また、バックライトフレーム４５の裏面４５ｃは、反射板４３に固着されている。そして、この状態で、図３を参照して、バックライトフレーム４５と反射板４３の高さの合計はｈ（mm）となっている。
【００２０】
また、バックライトフレーム４５は、その上表面４５ａが平坦とされており、この上表面４５ａの所定領域に貼付された粘着テープ（図示せず）を介して、液晶ディスプレイ３０の周縁部と接合される。これにより、バックライトフレーム４５に液晶ディスプレイ３０が取り付けられている。
【００２１】
図３に示すように、液晶ディスプレイ３０の左右方向（Ｘ方向）の幅寸法は、バックライトフレーム４５の左右方向の外形寸法よりもやや小さくなるように設定されている。そして、液晶ディスプレイ３０は、バックライトフレーム４５に固定されている。詳しくは、液晶ディスプレイ３０は、その左右の外周面３０ａよりもバックライトフレーム４５の外側面４５ｄが、それぞれＣ３（mm）だけ外方にシフトした位置で、バックライトフレーム４５に上記粘着テープによって固定されている。なお、液晶ディスプレイ３０の外周面３０ａは、バックライトフレーム４５の外側面４５ｄと面一であってもよく、僅かに該外側面４５ｄより外方に位置していてもよい。
【００２２】
図４に示すように、バックライトフレーム４５の左右の外側面４５ｄには、複数の左右一対の係合凸部４７が設けられている（図２参照）。また、筐体５０の収容凹部５１の内周壁には各係合凸部４７と対応する複数の係合凹部５７が設けられている。そして、図５に示すように、各係合凸部４７には、テーパー面４８が下方に向けて幅狭になるように形成されている。バックライトフレーム４５を収容凹部５１に収容するときに、この係合凸部４７のテーパー面４８が収容凹部５１の内壁面５３（５３ａ）と当接することで、ポリカーボネート樹脂からなるバックライトフレーム４５が撓むことで、バックライトフレーム４５が収容凹部５１内へ安定して収納されるようになっている。
【００２３】
図２に戻り、筐体５０は、有底矩形枠状とされ、収容凹部５１が設けられている。収容凹部５１は、矩形状の開口を有する凹部であり、底面５２と、４つの側面５３、５４、５５、５６と、から構成されている。
【００２４】
そして、図３のＡで示す領域内に示すように、長手方向の側面５３は、底面５２と連設する支持面５３ｂと、段部５３ｃと、支持面５３ｂより筐体５０の外側にオフセットして設けられたオフセット部５３ａと、から形成されている。支持面５３ｂは、収容凹部５１に収容されるバックライトフレーム４５の外周部と近接又は接触することで、液晶ディスプレイユニット２０を支持する支持部として機能するものである。また、オフセット部５３ａは、液晶ディスプレイ３０が筐体５０と直接接触することを防ぐために、支持面５３ｂから筐体５０の外方にオフセットされている。
【００２５】
側面５３に対向する側面５５も、同様に、支持面、段部、オフセット部、から形成されており、また、液晶ディスプレイユニット２０に設けられた係合凸部４７に対応する位置に、係合凹部５７が設けられている。
【００２６】
そして、図３に示すように、底面５２からの支持面５３ｂ（段部５３ｃ）の高さはＨ１（mm）とされている。
【００２７】
次に、液晶ディスプレイユニット２０が筐体５０に収納された状態について詳細に説明する。
【００２８】
図３に示すように、液晶ディスプレイユニット２０は、筐体５０に収納された際、バックライトフレーム４５の外側面４５ｄが筐体５０に設けられた支持部５３ｂと近接することで、筐体５０によって支持される。なお、液晶ディスプレイユニット２０は、筐体５０に収納された際、バックライトフレーム４５の外側面４５ｄが筐体５０に設けられた支持部５３ｂと直接接触することで、筐体５０によって支持されていてもよい。
【００２９】
詳しくは、液晶ディスプレイユニット２０が筐体５０に収納されると、バックライトフレーム４５の外側面４５ｄと、収容凹部５１の支持面５３ｂとの間には、クリアランスＣ１（mm）が形成される。一方、液晶ディスプレイ３０の外周面３０ａは、バックライトフレーム４５の外側面４５ｄより距離Ｃ３（mm）だけ内方に位置しており、さらに、筐体５０は、支持面５３ｂより外側にオフセットされたオフセット部５３ａを有しているので、液晶ディスプレイ３０の外周面３０ａと、収容凹部５１のオフセット部５３ａとの間には、クリアランスＣ２（mm）が形成される。オフセット部５３ａは、支持面５３ｂより筐体５０の外側にオフセットしているので、クリアランスＣ２は、Ｃ１よりも大きくなる。そのため、図６に示すように、携帯電話機が衝撃を受けた場合でも、液晶ディスプレイユニット２０は、最大で距離Ｃ１（mm）しか移動せず、液晶ディスプレイ３０の外周面３０ａが、収容凹部５１のオフセット部５３ａと当接することはない。
【００３０】
また、図３に示すように、収容凹部５１の底面５２からの支持面５３ｂ（段部５３ｃ）の高さＨ１（mm）は、バックライトフレーム４５と反射板４３の高さの合計ｈ（mm）より小さいので、バックライトフレーム４５の上表面４５ａは、段部５３ｃより上方側（収容凹部の開口側）に配置される。そのため、取付誤差などにより、液晶ディスプレイ３０の外周面３０ａがバックライトフレーム４５の外側面４５ｄよりわずかに突出した状態で液晶ディスプレイ３０がバックライトフレーム４５に固定された場合において、携帯電話機が衝撃を受けた場合でも、液晶ディスプレイ３０の外周面３０ａと収容凹部５１のオフセット部５３ａとの間に距離Ｃ２が確保されているので、外周面３０ａが収容凹部５１のオフセット部５３ａに接触する可能性が低減する。
【００３１】
以上説明したように、本実施形態の携帯電話機によれば、筐体５０の収容凹部５１に液晶ディスプレイユニット２０を支持するための支持面５３ｂより外方にオフセットしたオフセット部５３ａを形成した。また、バックライトフレーム４５の四辺を構成する枠状部は断面矩形状とされており、バックライトフレーム４５の上表面４５ａが段部５３ｃより上側に配置されているので、携帯電話機が落下等により液晶ディスプレイユニット２０が収容凹部内で位置ずれした場合でも、液晶ディスプレイ３０の外周面３０ａが収容凹部５１の内壁面に衝突することがなく、液晶ディスプレイ３０の破損が防止される。
【００３２】
また、従来、液晶ディスプレイの端部を、断面がＬ字状とされたバックライトフレームの外周リブで包囲していたが、本実施形態では外周リブが無いため、その外周リブの幅の分だけ、液晶ディスプレイを大きくすることができる。さらに、オフセット部５３ａのオフセット幅を、筐体５０の壁部の厚さに比して十分小さくするだけで、液晶ディスプレイ３０の外周面３０ａが収容凹部５１の内壁面に衝突しないようにすることができるので、
筐体５０は、従来のものと同等の強度を確保できる。
【００３３】
また、バックライトフレームの外周リブを無くすことにより、外周リブの厚さに相当するスペースを、液晶ディスプレイの大きさの増加分と筐体の厚さの増加分とに振り分けることができる。具体的には、オフセット部５３ａの筐体壁部の厚さを従来の筐体壁部の厚さと同等とし、そのオフセット部５３ａの下方かつ筐体５０の内側に支持面５３ｂを形成する。これにより、支持面５３ｂの筐体壁部の厚さは従来の筐体壁部の厚さより厚くなる。さらに、バックライトフレーム４５が支持面５３ｂに近接する位置まで、液晶ディスプレイユニット２０を大きくする。これにより、従来のものより液晶ディスプレイを大きくすることができるとともに、筐体の強度を増加させることができる。
【００３４】
（第２実施形態）
本実施形態では、収容凹部内の側面に凸部を設けた場合について説明する。以下、第１実施形態の携帯電話機の表示側筐体１０と共通する構成については、特に説明する場合を除き、同一又は対応する符号を付すなどしてその説明を省略する。
【００３５】
図７に示すように、筐体６０は、有底矩形枠状とされ、収容凹部６１が設けられている。収容凹部６１は、矩形状の開口を有する凹部であり、底面６２と、４つの側面６３、６４、６５、６６と、から構成されている。
【００３６】
そして、図７のＤで示す領域内に示すように、長手方向の側面６３は、第１実施形態とは異なり、オフセット部及び段部を有さない平坦面からなり、側面６３には、底面６２と連設する複数の支持凸部６９が形成されている。支持凸部６９は、直方体状であり、支持面６９ｂと、段部６９ｃと、を有している。支持面６９ｂは、収容凹部６１に収容されるバックライトフレーム４５の外周部と近接又は接触することで、液晶ディスプレイユニット２０を支持する支持部として機能するものである。また、側面６３は、液晶ディスプレイ３０が筐体６０と直接接触することを防ぐために、支持面６９ｂから筐体６０の外方にオフセットされている。
【００３７】
側面６３に対向する側面６５にも、同様に、複数の支持凸部６９が形成されている。
【００３８】
そして、図８に示すように、底面６２からの支持面６９ｂ（段部６９ｃ）の高さはＨ２（mm）とされている。
【００３９】
次に、液晶ディスプレイユニット２０が筐体６０に収納された状態について詳細に説明する。
【００４０】
図８に示すように、液晶ディスプレイユニット２０は、筐体６０に収納された際、バックライトフレーム４５の外側面４５ｄが筐体６０に設けられた支持面６９ｂと近接することで、筐体６０によって支持される。なお、液晶ディスプレイユニット２０は、筐体６０に収納された際、バックライトフレーム４５の外側面４５ｄが筐体６０に設けられた支持面６９ｂと直接接触することで、筐体６０によって支持されていてもよい。
【００４１】
詳しくは、液晶ディスプレイユニット２０が筐体６０に収納されると、バックライトフレーム４５の外側面４５ｄと、収容凹部６１の支持面６９ｂとの間には、クリアランスＣ４（mm）が形成される。一方、液晶ディスプレイ３０の外周面３０ａは、バックライトフレーム４５の外側面４５ｄより距離Ｃ３（mm）だけ内方に位置しており、さらに、筐体６０の側面６３は、支持面６９ｂより外側にオフセットされているので、液晶ディスプレイ３０の外周面３０ａと、収容凹部６１の側面６３との間には、クリアランスＣ５（mm）が形成される。側面６３は、支持面６９ｂより筐体６０の外側にオフセットしているので、クリアランスＣ５は、Ｃ４よりも大きくなる。そのため、携帯電話機が衝撃を受けた場合でも、液晶ディスプレイユニット２０は、最大で距離Ｃ４（mm）しか移動せず、液晶ディスプレイ３０の外周面３０ａが、収容凹部６１の側面６３と当接することはない。
【００４２】
また、図８に示すように、収容凹部６１の底面６２からの支持面６９ｂ（段部６９ｃ）の高さＨ２（mm）は、バックライトフレーム４５と反射板４３の高さの合計ｈ（mm）より小さいので、バックライトフレーム４５の上表面４５ａは、段部６９ｃより上方側（収容凹部の開口側）に配置される。そのため、取付誤差などにより、液晶ディスプレイ３０の外周面３０ａがバックライトフレーム４５の外側面４５ｄよりわずかに突出した状態で液晶ディスプレイ３０がバックライトフレーム４５に固定された場合において、携帯電話機が衝撃を受けた場合でも、液晶ディスプレイ３０の外周面３０ａと収容凹部６１の側面６３との間に距離Ｃ５が確保されているので、外周面３０ａが収容凹部６１の側面６３に衝突することがない。
【００４３】
以上説明したように、本実施形態の携帯電話機によれば、筐体６０の収容凹部６１に液晶ディスプレイユニット２０を支持するための支持面６９ｂより外方にオフセットした側面６３を形成した。また、バックライトフレーム４５の上表面４５ａが段部６９ｃより上側に配置されているので、携帯電話機が落下等により液晶ディスプレイユニット２０が収容凹部内で位置ずれした場合でも、液晶ディスプレイ３０の外周面３０ａが収容凹部６１の内壁面に衝突することがなく、液晶ディスプレイ３０の破損が防止される。
【００４４】
（第３実施形態）
本実施形態では、収容凹部のオフセット部に緩衝材を設けた場合について説明する。以下、第１実施形態の携帯電話機の表示側筐体１０と共通する構成については、特に説明する場合を除き、同一又は対応する符号を付すなどしてその説明を省略する。
【００４５】
図９に示すように、筐体５０のオフセット部５３ａには、緩衝材７０が設けられている。緩衝材７０は、シリコンゴムから形成されており、その厚さは、液晶ディスプレイ３０の外周面３０ａと、筐体５０のオフセット部５３ａとの間のクリアランスＣ６より小さく形成されている。
【００４６】
緩衝材７０は、液晶ディスプレイ３０の外周面３０ａ全体と対向するように設けられている。なお、緩衝材７０は、液晶ディスプレイ３０の外周面３０ａの一部と対向するように設けてもよい。
【００４７】
本実施形態によれば、筐体５０のオフセット部５３ａに緩衝材が設けられているので、液晶ディスプレイ３０の外周面３０ａが内壁面に衝突するおそれがなく、液晶ディスプレイ３０の破損が防止される。
【００４８】
なお、本発明は上記の実施形態に限定されるものではなく、種々の変形が可能である。
【００４９】
また、上記の実施形態では、凸部を直方体状としたが、これに限定されるものではなく、半球形状又は平板状であってもよい。
【００５０】
また、上記の実施形態では、バックライトフレーム４５の左右方向（Ｘ方向）の外形寸法は、液晶ディスプレイの外形寸法より大きく形成されていたが、これに限定されるものではなく、これらの寸法は、略同一であってもよい。
【００５１】
また、上記の実施形態では、緩衝材７０は、シリコンゴムから形成されていたが、これに限定されるものではない。緩衝性を有する材質であれば他の材質であってもよく、例えば、スポンジやポリエチレン発泡シートなどの発泡材料、衝撃吸収ゲル、ばねなどであってもよい。
【００５２】
また、上記の実施形態では、液晶ディスプレイユニット２０は、筐体５０に収納された際、バックライトフレーム４５の外側面４５ｄが筐体５０に設けられた支持部５３ｂと近接又は接触することで、筐体５０によって支持されていたが、外側面４５ｄが支持面５３ｂと当接することで、筐体５０によって支持されていてもよい。
【符号の説明】
【００５３】
１０  表示側筐体
２０  液晶ディスプレイユニット
３０  液晶ディスプレイ
４０  バックライト部
４１  光学シート
４２  導光板
４３  反射板
４５  バックライトフレーム（支持フレーム）
５０  筐体
５１  収容凹部
５２  底面
５３、５４、５５、５６  側面
５３ａ  オフセット部
５３ｂ  支持面
５３ｃ  段部
６９  凸部
６９ｂ  支持面
６９ｃ  段部
７０  緩衝材
【図１】
0005522732.tif 000002
【図２】
0005522732.tif 000003
【図３】
0005522732.tif 000004
【図４】
0005522732.tif 000005
【図５】
0005522732.tif 000006
【図６】
0005522732.tif 000007
【図７】
0005522732.tif 000008
【図８】
0005522732.tif 000009
【図９】
0005522732.tif 000010
【図１０】
0005522732.tif 000011